【事件の表示】
　特願２００７−２１５９０９「定着装置及び画像形成装置」拒絶査定不服審判事件〔平成２１年　３月　５日出願公開、特開２００９−　４８０７４〕について、次のとおり審決する。
【結　論】
　本件審判の請求は、成り立たない。
【理　由】
１　手続の経緯　
　本願は、平成１９年８月２２日の出願であって、平成２４年１月３０日付けで手続補正がなされ、同年５月２５日付けで拒絶査定がなされ、これに対して、同年８月２９日付けで拒絶査定不服審判請求がなされると同時に手続補正がなされたものである。
　
２　本願発明
　本願の請求項１ないし３に係る発明は、平成２４年８月２９日に補正された特許請求の範囲の請求項１ないし３に記載された事項によりそれぞれ特定されるものであるところ、その請求項１に記載されている「前記切断回転時間」は「前記電力供給オフ回転時間」の明らかな誤記であるので、その請求項１に係る発明は、平成２４年８月２９日付け補正後の明細書、特許請求の範囲及び図面の記載からみて、その特許請求の範囲の請求項１の記載から上記誤記を訂正した次のものと認める（下線は審決で付した。以下同じ。）。
　
「内部に定着熱源を有する定着部材と、
　該定着部材を押圧する加圧部材と、を備え、
　前記定着部材と前記加圧部材との定着ニップに搬送された記録媒体上の未定着トナー像を前記記録媒体上に熱定着する定着装置において、
　印刷動作終了後に前記定着熱源への電力供給をオフして前記定着部材を回転させる電力供給オフ回転時間を変更する回転時間変更制御回路と、
　前記記録媒体が前記定着ニップを通過するタイミングを検知し得る検知機構と、を具備し、
　前記検知機構による前記タイミングを検知した時点から前記定着熱源より前記定着部材へ供給する熱量を増加させて供給し、前記記録媒体の後端が前記定着ニップを通過するより前に前記定着熱源から前記定着部材へ供給する熱量を減少させて供給するフィードフォワード制御を用いて、印刷動作中の前記定着部材の前記定着熱源を制御し、
　前記回転時間変更制御回路が、印刷動作時の条件により、前記電力供給オフ回転時間を変更する定着装置であって、
　前記回転時間変更制御回路は、前記定着部材の前記
電力供給オフ回転時間
　
３　刊行物の記載事項
　原査定の拒絶の理由に引用された「本願の優先日前に頒布された刊行物である特開２００７−３９９２号公報（以下「引用例」という。）」には、以下の事項が図とともに記載されている。
（１）「【技術分野】
【０００１】
　本発明は、画像形成装置に関し、特に印刷直後に於ける定着器の空回転機能を有する画像形成装置に関するものである。
【背景技術】
【０００２】
　プリンタ等の
画像形成装置
定着器の温度変動幅を小さくする
動作開始直後には、加熱ローラの表面温度を上昇させるために、加熱ローラ内部に備えるヒータにフル通電し、熱定着通紙中には、加熱ローラの表面温度を一定温度に維持するために通電をオン・オフ制御している。又、動作終了時には、通紙の残り枚数が所定量になると、ヒータへの通電をオフすることとしている。更に、通電終了後も加熱ローラを空回転させている。この空回転とは、通紙終了後に加熱ローラの表面温度が不必要に上昇するのを防止するために複数回空転させる処置
【０００３】
　上記技術では、
通紙終了後に、その時の加熱ローラの表面温度に係らず、必ず空回転させることとしている。従って、加熱ローラの表面温度が、目標とする温度よりも低いときには、空回転させることによってより一層表面温度が低下してしまう。その結果、後に続く印刷ジョブの印刷起動時には、所定の表面温度まで上昇させることが必要になってくる。即ち、この空回転によって後に続く印刷ジョブの印刷起動時に於けるパフォーマンスを低下させ
【特許文献１】特開平６−１４９１２２号公報
【発明の開示】
【発明が解決しようとする課題】
【０００４】
　
解決しようとする問題点は、従来の技術では、加熱ローラの表面温度が、目標とする温度よりも低いときであっても、空回転させていたため、空回転させることによって表面温度がより一層低下してしまい、後に続く印刷ジョブの印刷起動時には、所定の表面温度まで上昇させることが必要になってくるため、後に続く印刷ジョブの印刷起動時におけるパフォーマンスを低下させていた
【課題を解決するための手段】
【０００５】
　本発明による画像形成装置は、媒体搬送路上に配設され印刷媒体の定着処理を実行する加熱部材と、該加熱部材への通電を制御する温度制御部と、上記加熱部材の回転を制御する回転駆動制御部と、上記媒体搬送路上を搬送される上記印刷媒体を検出する媒体検出手段とを有し、上記印刷媒体が上記加熱部材を通過後に上記通電を停止したまま上記加熱部材を所定時間空回転可能な画像形成装置であって、上記媒体検出手段を監視し、印刷ジョブに於ける最終ページの印刷終了を検出すると、上記印刷ジョブに含まれていたページ数を検出する連続印刷数検出手段と、該連続印刷数検出手段から上記印刷ジョブに含まれていたページ数を受入れて上記加熱部材の空回転時間を設定する空回転時間設定手段とを備えることを主要な特徴とする。
【発明の効果】
【０００６】
　連続印刷数検出手段と、空回転時間設定手段とを備えることによって、印刷直後に於ける加熱ローラの表面温度を考慮し、該表面温度に基づいて適切な空回転時間を設定することが出来るようになる。その結果、後に続く印刷ジョブの印刷起動時におけるパフォーマンスを向上させることが出来るという効果を得る。
【発明を実施するための最良の形態】
【０００７】
　本発明では、上記、連続印刷数検出手段、及び空回転時間設定手段を、従来の画像形成装置に於ける制御プログラムの変更のみによって実現した。
【実施例１】
【０００８】
　図１は、本発明による画像形成装置の概略構成説明図である。
　図において、
１は画像形成装置本体を示している。
３は媒体カセットであり、印刷前の印刷媒体２を収納するカセットである。４０は媒体カセット３から印刷媒体２を一枚毎に分離して矢印６０の方向へ引き出すピックアップローラである。４１、４２はレジストローラであり、互いに圧接して配設され一対となって印刷媒体２を挟持して矢印６１の方向へ移動させるローラである。４３、４４もレジストローラであり、互いに圧接して配設され一対となって印刷媒体２を挟持して搬送ベルトユニット２０へ供給するローラである
【０００９】
　１１、１２、１３、１４は全て
電子写真プロセスユニット
受入れた印刷データに基づいてそれぞれ記載順に、シアン、マゼンタ、イエロー、ブラックのトナー像を生成する
搬送ベルトユニットであり、静電気力によって密着する印刷媒体２を矢印６２の方向に搬送する
転写ローラ、２１、２２、２３、２４が内蔵され
転写ローラ、２１、２２、２３、２４に高電圧が印加され、電子写真プロセスユニットで生成されたトナー像は、印刷媒体２上に転写され
【００１０】
　３０は
定着器であり、印刷媒体２上に転写されたトナー像を加熱定着する
加圧ローラ１００と、加熱ローラ１０２とを内蔵している
互いに圧接して
加圧ローラ１００は加圧ヒータ１０１を
加熱ローラ１０２は加熱ヒータ１０３を、それぞれ内蔵している
サ−ミスタであり、定着器３０に内蔵され、加熱ローラ１０２の表面温度を計測する温度センサ
【００１１】
　４７、４８は排出ローラであり、互いに圧接して配設され、一対となって定着後の印刷媒体２を６５の方向へ移動させている。
５０、５１、５２は媒体検出センサであり、印刷媒体２が通過する度毎に、その先端部と後端部とを検出するメカセンサである
【００１２】
　図２は、実施例１の空回転時間制御系統ブロック図である。
　図に示すように、空回転時間制御系統１３０は、
制御部１１０と、モータ駆動制御部１２０と、温度検出部１２１と、温度制御部１２２とを備え
【００１３】
　制御部１１０は、ＣＰＵ１１１と、ＲＯＭ１１２と、ＲＡＭ１１３と、タイマ１１４と、連続印刷数検出手段１１５と、空回転時間設定手段１１６と、外部インタフェース１１７とを有し、媒体搬送を所定間隔以下で連続して印刷した枚数を検出し、この印刷枚数に応じて、加圧ローラ１００、及び加熱ローラ１０２の空回転時間を設定し、両ローラの温度を適切に制御することによって後に続く印刷ジョブの印刷起動時におけるパフォーマンスを向上させる部分である。
【００１４】
　ＣＰＵ１１１は、ＲＯＭ１１２に予め格納されている制御プログラムを実行することによって画像形成装置１（図１）全体を制御するマイクロプロセッサである。特に、本実施例では、ＲＯＭ１１２に予め格納されている、所定の制御データを用い、所定の制御プログラムを実行することによって、後述する連続印刷数検出手段１１５と空回転時間設定手段１１６とを起動させる部分である。
【００１５】
　ＲＯＭ１１２は、ＣＰＵ１１１が実行することによって画像形成装置１（図１）全体を制御する制御プログラム及びそれに必要な制御データを予め格納するリードオンリーメモリである。本実施例では、特にＣＰＵ１１１が実行することによって後述する連続印刷数検出手段１１５と空回転時間設定手段１１６とを起動させる制御プログラム、及び空回転時間テーブル１１２−１（後に詳細に説明する）とを格納するリードオンリーメモリである。
【００１６】
　ＲＡＭ１１３は、ＣＰＵ１１１が所定の制御プログラムを実行する中で必要になる演算領域を提供するランダムアクセスメモリである。更に、ＣＰＵ１１１が外部インタフェース１１７を介して他の部分とのデータのやり取りを実行するときに必要なデータ保持領域を提供するランダムアクセスメモリでもある。
　タイマ１１４は、ＣＰＵ１１１が実行する制御の中で必要になる経過時間計測手段である。
【００１７】
　連続印刷数検出手段１１５は、連続印刷時に定着器３０を通過する印刷媒体の媒体間隙を検出し、所定の間隔以下の媒体間隔で連続して印刷されたページ数を検出する部分である。この部分は、ＣＰＵ１１１が、ＲＯＭ１１２に予め格納されている所定の制御プログラムを実行することによって起動されるコンピュータ制御手段である。
　尚、本実施例では、一例として印刷媒体が１６ｍｍから６５ｍｍの媒体間隙で搬送される場合を連続印刷としている。
【００１８】
　ここで１６ｍｍとは、媒体検出センサ５２の機械的レバーが媒体有りから媒体無しに戻るまでの時間０．１秒に対して、搬送速度を掛けた値である。通常カラー印刷における媒体搬送速度は１６３ｍｍ／ｓであり１６．３ｍｍとなるので１６ｍｍとしている。一方、
６５ｍｍは、通常カラー印字速度３７ｐｐｍ（ｐｐｍは、１分間あたりに印刷する枚数を示した単位であり、本実施例の場合は、Ａ4サイズまたはレターサイズの用紙を横送りに印刷する印刷速度である）を実現するため、５０ｍｍ以下の媒体搬送間隔が必要であるが、画処理の遅れや間隔検出の際の媒体端の検出ばらつきを勘案し、一例として６５ｍｍとしている。この媒体搬送間隔を監視することによって、その間隔で連続印刷されたページ数を検出することが出来る。
【００１９】
　次に、媒体搬送間隔の監視方法の一例について説明する。
　図３は、媒体搬送間隔の監視方法説明図である。
　図は、縦軸に媒体検出センサ５２（図２）の出力電圧レベルを示し、横軸に時間経過を表している。但し、媒体検出センサ５２（図２）の出力電圧は、媒体無しレベルが１であり、媒体有りレベルが０であるものとする。
【００２０】
　図に示すように、連続印刷数検出手段１１５（図２）は、外部インタフェースを介し媒体検出センサ５２（図２）の出力電圧を受入れて、媒体搬送間隔、即ち、媒体後端から媒体先端までの時間ｔ１を計測し、媒体搬送間隔Ｌ（ｍｍ）＝ｔ１（ｓ）×Ｖｃ（ｍｍ/ｓ）として求めることが出来る。この媒体搬送間隔Ｌ（ｍｍ）が上記６５ｍｍ以上になったときに連続印刷数検出手段１１５は、連続印刷時の最終を検出することが出来る。更に、当該連続印刷の印刷開始時点からの媒体有レベルの回数をカウントしておき、最終ページを検出時点でのカウント値から連続印刷されたページ数を検出することが出来る。
【００２１】
　図２に戻って、空回転時間設定手段１１６は、連続印刷数検出手段１１５から受入れた連続印刷されたページ数に基づいて、最終ページの印刷終了後における加熱ローラ１０２の空回転時間を設定する部分である。ここで、最初に加熱ローラ１０２の空回転による効果について説明する。
【００２２】
　図４は、実施例１に於いて空回転しない場合のタイムチャートである。
　
連続印刷の場合、最初の印刷媒体の先端部が、目標温度Ｔｔに調節された加熱ローラ１０２（図２）と加圧ローラ１００が圧接されたニップ部１０４（図２）を通過する際、定着に必要な熱量を加熱ローラ１０２（図２）と加圧ローラ１００から奪うために、加熱ローラ１０２（図２）の表面温度が低下する（区間ａ）。このとき温度制御部１２２（図２）は、加熱ローラ１０２（図２）の表面温度を目標温度Ｔｔに近づけようとして、加熱ヒータ１０３（図２）、及び必要に応じて加圧ヒータ１０１（図２）を制御する。この制御はＡＣ電源１２６と、加熱ヒータ１０３（図２）との間に配設されるスイッチ１２５、及びＡＣ電源１２６と加圧ヒータ１０１（図２）との間に配設されるスイッチ１２４、とをオン・オフすることによって実行される
【００２３】
　
加熱ローラ１０２（図２）の表面温度が目標温度Ｔｔに近づいた後、一定の温度に制御される（区間ｂ）。この区間ｂでは、加熱ローラ１０２（図２）による印刷媒体への投入熱量と、印刷媒体が搬送されながら吸収する熱量とのバランスが確保される。区間ｂの最後では、連続印刷の最後の印刷媒体の後端部がニップ部１０４（図２）を通過し、媒体検出センサ５２（図２）を通過したことを連続印刷数検出手段１１５（図２）が検出すると、加熱ローラ１０２（図２）、及び加圧ローラ１００（図２）を回転駆動しているモータ１０５が、モータ駆動制御部１２０によって停止される
【００２４】
　
更に、加熱ヒータ１０３（図２）、及び加圧ヒータ１０１（図２）は、温度制御部１２２（図２）によって強制的にオフされる。そのタイミングを図中△のタイミングとする。そのタイミング△よりも若干遅れて加熱ローラ１０２（図２）、及び加圧ローラ１００（図２）が回転停止する。この時点から区間ｃが開始する。この区間ｃでは、加熱ローラ１０２（図２）が投入していた熱量の放出先が無くなり、加熱ローラ１０２（図２）の表面温度が急激に所定値まで上昇する。この状態を以下にオーバーシュートと記す。このときのオーバーシュートをＹ１とする
【００２５】
　図５は、実施例１に於いて空回転した場合のタイムチャートである。
　上記図４では、△よりも若干遅れて加熱ローラ１０２（図２）、及び加圧ローラ１００（図２）を回転停止させたが、本図では、
一定時間（区間ｃ１の間）空回転させる。空回転させることによって加熱ローラ１０２（図２）が投入していた熱量の一部は外部に放出される。その結果、このときのオーバーシュートはＹ２となり、上記Ｙ１よりも小さくなる
【００２６】
　空回転時間設定手段１１６（図２）による空回転時間設定の基本原理について説明する。
　図６は、実施例１に於ける空回転時間とオーバーシュート量の関係説明図である。
　この図は、
一例として２５℃環境で、媒体搬送速度１６３．５ｍｍ／ｓ、媒体搬送間隔Ｌ（ｍｍ）が５０ｍｍ、印刷媒体のサイズはレタ−サイズ、媒体方向は横送り、印刷媒体の種類は普通紙、媒体連量は２４ポンドの条件で
【００２７】
　図に於いて、縦軸は加熱ローラ１０２（図２）の表面温度を目標温度Ｔｔ＝１８２℃とし、その値からの変動量としてオーバーシュートを表している。又、横軸は、印刷終了後に於ける加熱ローラ１０２（図２）の空回転時間を表している。更に、パラメータとして
印刷ジョブに含まれていた印刷ページ数が５枚（ｐ）、１０枚（ｐ）、１５枚（ｐ）、５０枚（ｐ）
【００２８】
　
オーバーシュート（図５）の限界を目標温度Ｔｔ＝１８２℃に対して＋２５℃とした場合には、５ｐのグラフをみると、空回転しなくても既に＋２５℃を満足し
１０ｐのグラフをみると、空回転は約１秒で＋２５℃を満足し
１５ｐのグラフをみると、空回転は約６秒で＋２５℃を満足し
５０ｐのグラフをみると、空回転は約１３秒で＋２５℃を満足し
種々の条件に基づいて実験的に求め
【００２９】
　このようにして求めた
印刷ページ数と空回転時間との関係を空回転時間テーブル１１２−１（図２）としてＲＯＭ１１２（図２）に予め格納しておく
空回転時間設定手段１１６は、連続印刷数検出手段１１５から受入れた、印刷ジョブに含まれていたページ数に基づいて、空回転時間テーブル１１２−１（図２）を検索し、最終ページの印刷終了後における加熱ローラ１０２の空回転時間を容易に設定することが出来る。
【００３０】
　この
空回転時間テーブル１１２−１（図２）に格納する値については、周囲環境毎に求めてもよいし、あるいは又、標準値、例えば２５℃に固定して求め、実行時における周囲温度の変化に対しては、予め設定してある係数を乗算することとし
【００３１】
　再度図２に戻って、外部インタフェース１１７は、制御部１１０内の各構成部分と、制御部１１０外に配設されている各構成部分とを信号接続するインタフェース回路である。
　モータ駆動制御部１２０は、制御部１１０の制御に基づいて定着器３０内部の加熱ローラ１０２を回転させるモータ駆動信号を生成する部分である。
　温度検出部１２１は、温度センサ３１の出力値を温度値に変換する部分である。
　温度制御部１２２は、ＡＣ電源１２６と、加熱ヒータ１０３との間に配設されるスイッチ１２５、及びＡＣ電源１２６と加圧ヒータ１０１との間に配設されるスイッチ１２４、とをオン・オフすることによって、加圧ローラ１００、及び加熱ローラ１０２の表面温度を制御する部分である。
【００３２】
　以上説明した本実施例による画像形成装置によって、所定の連続印刷を終了後、後に続く印刷実行にいたるまでの加熱ローラの温度推移について説明する。
　図７は、実施例１に於ける次ジョブ投入時の加熱ローラ回転からの温度推移説明図である。
　この図は、一例として２５℃環境で、媒体搬送速度１６３．５ｍｍ／ｓ、媒体搬送間隔Ｌ（ｍｍ）が５０ｍｍ、印刷媒体のサイズはレタ−サイズ、媒体方向は横送り、印刷媒体の種類は普通紙、媒体連量は２４ポンドの条件で取得した実測データである。
【００３３】
　図に於いて、縦軸は加熱ローラ１０２（図２）の表面温度を目標温度Ｔｔ＝１８２℃とし、その値からの変動量としてオーバーシュート（℃）を表している。又、横軸は、後に続く印刷ジョブにより加熱ローラ１０２（図２）の回転開始からの空回転時間を表している。更に、パラメータとして、５０Ｐの連続印刷終了後１５秒から回転した場合（空回転有）と、５０Ｐの連続印刷終了後に空回転しなかった場合（空回転無）とを設定している。ここで目標温度＋８℃とする。この目標温度＋８℃は、後に続く印刷ジョブの印刷起動可能範囲の上限値であり、印刷媒体に付着しているトナーに対して、定着器が過度の熱量を加えることにより印刷画面に発生する画像乱れ（ホットオフセット）の発生閾値である。即ち、この目標温度を＋８℃に短時間で到達するということは、後に続く印刷ジョブを短時間で開始することが可能になったことを示している。
【００３４】
　図示するように、（空回転有）は、約３秒で目標温度＋８℃に到達しているが、（空回転無）は、印刷スピ−ドに係らず、約７秒を必要としている。この図からも明らかなように（空回転有）の効果を認めることが出来る。又、空回転有であっても空回転時間が不十分であった場合について説明する。一例として、図６に於いて、５０ｐであって、空回転を５秒間で停止したものと仮定する。この場合には図６より、約３３℃を維持している。この３３℃を開始点にして図７へ移すと、図上の点線のようになるものと予想される。即ち、（空回転有）とは大きな差異が予想される。
【００３５】
　以上説明したように、本実施例では、連続印刷数検出手段と、空回転時間設定手段とを備えることによって、加熱ローラの表面温度を考慮して空回転時間を設定することが出来るようになる。その結果、後に続く印刷ジョブの印刷起動時におけるパフォーマンスを向上させるという効果を得る。
【実施例２】
【００３６】
　本実施例では、
印刷媒体の厚さによって最適な空回転時間が異なってくることを認識し、印刷媒体の厚さによって空回転時間を補正することとする
　図８は、実施例２の空回転時間制御系統ブロック図である。
　図に示すように、空回転時間制御系統２３０は、
制御部２１０と、モータ駆動制御部１２０と、温度検出部１２１と、温度制御部１２２と、媒体厚さセンサ２１７を備え
【００３７】
　
制御部２１０は、
印刷終了ページを検出し、当該印刷ジョブに含まれていた印刷枚数と、印刷媒体の厚さとを検出し、この印刷枚数と印刷媒体の厚さに応じて加圧ローラ１００、及び加熱ローラ１０２の空回転時間を設定し、両ローラの温度を適切に制御することによって後に続く印刷ジョブの印刷起動時におけるパフォーマンスを向上させ
【００３８】
　ＣＰＵ２１１は、ＲＯＭ２１２に予め格納されている制御プログラムを実行することによって画像形成装置１（図１）全体を制御するマイクロプロセッサである。特に、本実施例では、ＲＯＭ２１２に予め格納されている所定の制御データを用い、所定の制御プログラムを実行することによって、連続印刷数検出手段１１５と空回転時間設定手段２１６とを起動させる部分である。
【００３９】
　ＲＯＭ２１２は、ＣＰＵ２１１が実行することによって画像形成装置１（図１）全体を制御する制御プログラム及びそれに必要な制御データを予め格納するリードオンリーメモリである。本実施例では、特にＣＰＵ２１１が実行することによって連続印刷数検出手段１１５と空回転時間設定手段２１６とを起動させる制御プログラム、及び空回転時間テーブル１１２−１、及び空回転時間補正値テーブル２１２−１（後述する）とを格納するリードオンリーメモリである。
【００４０】
　
空回転時間設定手段２１６は、連続印刷数検出手段１１５から受入れた印刷ジョブに含まれていたページ数基づいて、最終ページの印刷終了後における加熱ローラ１０２の空回転時間を設定する
更に、媒体厚さセンサ２１７から受入れた印刷媒体の厚さに基づいて空回転時間を補正する
【００４１】
　図９は、実施例２に於いて紙厚を変えて空回転を実施した場合のタイムチャートである。
　この図はパラメータを紙厚１１０ミクロンと紙厚１００ミクロンに設定し、空回転した場合のタイムチャートである。
　連続印刷の場合、最初の印刷媒体の先端部が目標温度Ｔｔに調節された加熱ローラ１０２（図８）と加圧ローラ１００が圧接されたニップ部１０４（図８）を通過する際、定着に必要な熱量を加熱ローラ１０２（図８）と加圧ローラ１００から奪うために、加熱ローラ１０２（図８）の表面温度が低下する（区間ａ）。ここでは、紙厚１１０ミクロンの方が紙厚１００ミクロンに比較して温度が低下する。このとき温度制御部１２２（図８）は、加熱ローラ１０２（図８）の表面温度を目標温度Ｔｔに近づけようとして、加熱ヒータ１０３（図８）、及び必要に応じて加圧ヒータ１０１（図８）を制御する。この制御はＡＣ電源１２６と、加熱ヒータ１０３（図８）との間に配設されるスイッチ１２５、及びＡＣ電源１２６と加圧ヒータ１０１（図８）との間に配設されるスイッチ１２４、とをオン・オフすることによって実行される。
【００４２】
　加熱ローラ１０２（図８）の表面温度が目標温度Ｔｔに近づいた後、一定の温度に制御される（区間ｂ）。この区間ｂでは、加熱ローラ１０２（図８）による印刷媒体への投入熱量と、印刷媒体が搬送されながら吸収する熱量とのバランスが確保される。ここでは、紙厚１１０ミクロンと紙厚１００ミクロンとは同一である。区間ｂの最後では、
連続印刷の最後の印刷媒体の後端部がニップ部１０４（図８）を通過し、媒体検出センサ５２（図８）を通過したことを連続印刷数検出手段１１５（図８）が検出すると、加熱ヒータ１０３（図８）、及び加圧ヒータ１０１（図８）は、温度制御部１２２（図８）によって強制的にオフされる。
【００４３】
　△よりも
若干遅れたて時点から一定時間（区間ｃ１の間）空回転させ
【００４４】
　図１０は、実施例２に於いて空回転時間を変えて実施した場合のタイムチャートである。
　この図も図９と同様にパラメータを紙厚１１０ミクロンと紙厚１００ミクロンに設定する。
　この図に於いて区間ａ、区間ｂ、及び区間ｃ１は、図９と同様なので説明を省略し、区間ｃ２、区間ｃ、について説明する。ここで
区間ｃ１は１５秒
ｃ２は５秒
紙厚１００ミクロンでは、区間ｃ１終了後、加熱ローラ１０２（図８）、及び加圧ローラ１００（図８）が回転停止され
【００４５】
　
一方、紙厚１１０ミクロンでは、区間ｃ２でまだ空回転が継続され、区間ｃ２終了後に加熱ローラ１０２（図８）、及び加圧ローラ１００（図８）が回転停止される。
【００４６】
　次に印刷媒体の紙厚変化に対応する空回転時間の補正方法について説明する。
　図１１は、媒体厚変化によるオーバーシュート（℃）変化の説明図である。
　この図は、媒体厚さセンサ２１７（図８）による計測結果が１００ミクロンの印刷媒体と、計測結果が１１０ミクロンの印刷媒体とを使って
５０枚連続印刷し
【００４７】
　図１２は、媒体厚変化に対応した空回転時間補正原理説明図である。
　この図は、上記図１１の測定結果を空回転時間をパラメータにしてグラフ化した図である。図の縦軸はオーバーシュート（℃）を表し、横軸は媒体厚さ（μｍ）を表している。図中２本の実線は、図１１の計測結果を表したグラフ（直線近似）である。即ち、○印のグラフは、実測値に基づく空回転１５秒のグラフであり、×印のグラフは、実測値に基づく空回転２０秒のグラフである。ここで空回転１５秒のグラフ（○印）と、空回転２０秒のグラフ（×印）との間に等間隔に４本のグラフを挿入すると、上から順に空回転１６秒のグラフ、空回転１７秒のグラフ、空回転１８秒のグラフ、空回転１９秒のグラフを、そ
れぞれ想定（近似）することが出来る。
【００４８】
　これらの想定グラフら、以下の補正が可能になる。
一例として紙厚１００ミクロンでオーバーシュートを２５℃にする場合には空回転時間を約１７秒（図中Ｐ０点）に設定することになる。又、紙厚１０５ミクロンに変化した場合には空回転時間を約１８秒（図中Ｐ１点）に補正し、紙厚１１０ミクロンに変化した場合には空回転時間を約１９秒（図中Ｐ２点）に補正し、紙厚９５ミクロンに変化した場合には空回転時間を約１６秒（図中Ｐ３点）に補正することによって媒体厚変化に対応した空回転時間補正が可能になる。即ち、この補正値を上記空回転時間補正値テーブル２１２−１に予め格納する
【００４９】
　再度図８に戻って、媒体厚さセンサ２１７は、印刷媒体の厚さを計測するセンサである。通常、微小変位センサなどが用いられる。このセンサは、印刷媒体の厚さを計測できるものであればどのようなセンサであっても良い。更に、媒体カセット３（図１）に収納する前にオペレ−タが印刷媒体の厚さを手作業で計測し、その厚さを外部インタフェース１１７（図８）を介して信号入力しても良い。
【００５０】
　以上説明したように、実施例２によれば、
連続印刷中に印刷媒体の厚さを検知し、連続印刷後の空回転時間を厚さに応じて変化させることによって、印刷媒体の厚さが厚い場合であっても、あるいは又薄い場合であっても、オーバーシュートを正確に制御することが可能になるので上記実施例1の効果に加えて、より一層、後に続く印刷ジョブの印刷起動時のパフォーマンスを向上させる
【産業上の利用可能性】
【００５１】
　以上の説明では、本発明をプリンタに適用した場合に限定して説明したが、本発明は、この例に限定されるものでは無い。即ち、ファクシミリ装置や、複写機などにも適用可能である。」
　
（２）上記（１）から、引用例には、
「印刷前の印刷媒体を収納する媒体カセット、媒体カセットから印刷媒体を一枚毎に分離して引き出すピックアップローラ、互いに圧接して配設され一対となって印刷媒体を挟持して移動させる第１のレジストローラ、互いに圧接して配設され一対となって印刷媒体を挟持して搬送ベルトユニットへ供給する第２のレジストローラ、受入れた印刷データに基づいてそれぞれ記載順に、シアン、マゼンタ、イエロー、ブラックのトナー像を生成する電子写真プロセスユニット、転写ローラを内蔵し、静電気力によって密着する印刷媒体を搬送するとともに、転写ローラに高電圧が印加されて電子写真プロセスユニットで生成されたトナー像を印刷媒体上に転写する搬送ベルトユニット、加圧ヒータを内蔵した加圧ローラと加熱ヒータを内蔵した加熱ローラとを互いに圧接して内蔵し、印刷媒体上に転写されたトナー像を加熱定着する定着器、定着器に内蔵され、加熱ローラの表面温度を計測する温度センサ、印刷媒体が通過する度毎に、その先端部と後端部とを検出する第１ないし第３媒体検出センサ５０、５１、５２と、制御部と、モータ駆動制御部と、温度検出部と、温度制御部と、媒体厚さセンサと、連続印刷数検出手段と、を備え、
　連続印刷の場合、最初の印刷媒体の先端部が、目標温度Ｔｔに調節された加熱ローラと加圧ローラが圧接されたニップ部を通過する際、定着に必要な熱量を加熱ローラと加圧ローラから奪うために、加熱ローラの表面温度が低下し、このとき温度制御部は、加熱ローラの表面温度を目標温度Ｔｔに近づけようとして、ＡＣ電源と加熱ヒータとの間に配設されるスイッチをオン・オフすることによって加熱ヒータを制御し、必要に応じてＡＣ電源と加圧ヒータとの間に配設されるスイッチをオン・オフすることによって加圧ヒータを制御し、加熱ローラの表面温度が目標温度に近づいた後一定の温度に制御し、加熱ローラによる印刷媒体への投入熱量と印刷媒体が搬送されながら吸収する熱量とのバランスを確保し、最後では連続印刷の最後の印刷媒体の後端部がニップ部を通過し、第３媒体検出センサ５２を通過したことを連続印刷数検出手段が検出すると、加熱ローラ及び加圧ローラを回転駆動しているモータをモータ駆動制御部によって停止させ、更に、加熱ヒータ及び加圧ヒータが温度制御部によって強制的にオフされ、若干遅れて加熱ローラ及び加圧ローラが回転停止し、加熱ローラが投入していた熱量の放出先が無くなり、加熱ローラの表面温度が急激に所定値まで上昇すなわちオーバーシュートするが、加熱ローラ及び加圧ローラを一定時間空回転させることによって加熱ローラが投入していた熱量の一部は外部に放出される結果オーバーシュートは小さくなるので、
　動作開始直後には、加熱ローラの表面温度を上昇させるために、加熱ローラ内部に備えるヒータにフル通電し、熱定着通紙中には、加熱ローラの表面温度を一定温度に維持するために通電をオン・オフ制御し、また、動作終了時には、通紙の残り枚数が所定量になると、ヒータへの通電をオフすることとし、更に、通紙終了後に加熱ローラの表面温度が不必要に上昇するのを防止するために、通電終了後も加熱ローラを複数回空転させる処置である空回転をさせて、温度変動幅を小さくするようにした画像形成装置の定着器において、
　通紙終了後に、その時の加熱ローラの表面温度に係らず、加熱ローラの表面温度が、目標とする温度よりも低いときであっても、空回転させていたため、空回転させることによって表面温度がより一層低下してしまい、後に続く印刷ジョブの印刷起動時には、所定の表面温度まで上昇させることが必要になってくるため、後に続く印刷ジョブの印刷起動時におけるパフォーマンスを低下させていたという従来技術の問題点を解決するため、
　２５℃環境で、媒体搬送速度１６３．５ｍｍ／ｓ、媒体搬送間隔Ｌ（ｍｍ）が５０ｍｍ、印刷媒体のサイズはレタ−サイズ、媒体方向は横送り、印刷媒体の種類は普通紙、媒体連量は２４ポンドの条件で、オーバーシュートの限界を目標温度Ｔｔ＝１８２℃に対して＋２５℃とした場合には、印刷ジョブに含まれていた印刷ページ数が、５枚では空回転しなくても既に＋２５℃を満足し、１０枚では空回転は約１秒で＋２５℃を満足し、１５枚では空回転は約６秒で＋２５℃を満足し、５０枚では空回転は約１３秒で＋２５℃を満足するといった一例のように、種々の条件に基づいて印刷ページ数と空回転時間との関係を実験的に求め空回転時間テーブルとしてＲＯＭに予め格納しておき、連続印刷数検出手段から受入れた印刷ジョブに含まれていたページ数に基づいて、空回転時間テーブルを検索し、最終ページの印刷終了後における加熱ローラの空回転時間を設定し、更に、媒体厚さセンサから受入れた印刷媒体の厚さに基づいて空回転時間を補正する空回転時間設定手段を制御部に設け、
　空回転時間テーブルに格納する前記値については、標準値、例えば２５℃に固定して求め、実行時における周囲温度の変化に対しては、予め設定してある係数を乗算することとし、
　印刷媒体の厚さによって最適な空回転時間が異なってくるので、印刷媒体の厚さによって空回転時間を補正することとし、一例として紙厚１００ミクロンで５０枚連続印刷しオーバーシュートを２５℃にする場合には空回転時間を約１７秒に設定し、紙厚１０５ミクロンに変化した場合には空回転時間を約１８秒に補正し、紙厚１１０ミクロンに変化した場合には空回転時間を約１９秒に補正し、紙厚９５ミクロンに変化した場合には空回転時間を約１６秒に補正するように、補正値を空回転時間補正値テーブルに予め格納することによって媒体厚変化に対応した空回転時間補正を可能にし、連続印刷の最後の印刷媒体の後端部がニップ部を通過し、第３媒体検出センサ５２を通過したことを連続印刷数検出手段が印刷終了ページを検出すると、加熱ヒータ及び加圧ヒータは温度制御部によって強制的にオフされ、当該印刷ジョブに含まれていた印刷枚数と、印刷媒体の厚さとを検出し、この印刷枚数と印刷媒体の厚さに応じて加圧ローラ及び加熱ローラの空回転時間を設定し、若干遅れた時点から、加熱ローラ及び加圧ローラが、設定された空回転時間だけ空回転させその後に回転停止され、両ローラの温度を適切に制御することによって、連続印刷後の空回転時間を厚さに応じて変化させることによって、印刷媒体の厚さが厚い場合であっても、あるいは又薄い場合であっても、オーバーシュートを正確に制御することが可能になるので、より一層、後に続く印刷ジョブの印刷起動時のパフォーマンスを向上させた、画像形成装置の定着器。」の発明（以下「引用発明」という。）が記載されているものと認められる。
　
４　対比
　本願発明と引用発明を対比する。
（１）引用発明の「加熱ヒータを内蔵した加熱ローラ」、「加熱ヒータ、ヒータ」、「『加熱ローラ』と『互いに圧接』される『加圧ローラ』」、「加熱ローラと加圧ローラが圧接されたニップ部」、「印刷媒体上に転写されたトナー像」、「印刷媒体」、「転写されたトナー像」、「加熱定着する」、「画像形成装置の定着器」、「通紙終了後」、「通電をオフ」、「空回転時間」、「『空回転時間設定手段』を設けた『制御部』」、「印刷媒体が通過する度毎に、その先端部と後端部とを検出する第１ないし第３媒体検出センサ５０、５１、５２」、「印刷枚数」及び「実行時における周囲温度」は、それぞれ、本願発明の「内部に定着熱源を有する定着部材」、「定着熱源」、「定着部材を押圧する加圧部材」、「前記定着部材と前記加圧部材との定着ニップ」、「記録媒体上の未定着トナー像」、「記録媒体」、「未定着トナー像」、「記録媒体上に熱定着する」、「定着装置」、「印刷動作終了後」、「電力供給をオフ」、「電力供給オフ回転時間」、「回転時間変更制御回路」、「前記記録媒体が前記定着ニップを通過するタイミングを検知し得る検知機構」、「印刷枚数」及び「印刷動作時の環境の温度」に相当する。
　
（２）引用発明において、「定着装置（画像形成装置の定着器）」は、加圧ヒータを内蔵した「加圧部材（加圧ローラ）」と「内部に定着熱源を有する定着部材（加熱ヒータを内蔵した加熱ローラ）」とを互いに圧接して内蔵し、「記録媒体上の未定着トナー像（印刷媒体上に転写されたトナー像）」を「記録媒体上に熱定着する（加熱定着する）」ものであり、「記録媒体」は、「前記定着部材と前記加圧部材との定着ニップ（加熱ローラと加圧ローラが圧接されたニップ部）」を通過するから、引用発明の「定着装置」と本願発明の「定着装置」とは、「内部に定着熱源を有する定着部材と、該定着部材を押圧する加圧部材と、を備え、前記定着部材と前記加圧部材との定着ニップに搬送された記録媒体上の未定着トナー像を前記記録媒体上に熱定着する」点で一致する。
　
（３）引用発明の「定着装置（画像形成装置の定着器）」は、種々の条件に基づいて印刷ページ数と「電力供給オフ回転時間（空回転時間）」との関係を実験的に求め「電力供給オフ回転時間」テーブルとしてＲＯＭに予め格納しておき、連続印刷数検出手段から受入れた印刷ジョブに含まれていたページ数に基づいて、「電力供給オフ回転時間」テーブルを検索し、最終ページの印刷終了後における「定着部材（加熱ローラ）」の「電力供給オフ回転時間」を設定し、更に、媒体厚さセンサから受入れた印刷媒体の厚さに基づいて「電力供給オフ回転時間」を補正する空回転時間設定手段を制御部に設け、「回転時間変更制御回路（空回転時間設定手段を設けた制御部）」とし、「電力供給オフ回転時間」テーブルに格納する前記値については、標準値、例えば２５℃に固定して求め、「印刷動作時の環境の温度（実行時における周囲温度）」の変化に対しては、予め設定してある係数を乗算することとし、「記録媒体（印刷媒体）」の厚さによって最適な「電力供給オフ回転時間」が異なってくるので、「記録媒体」の厚さによって「電力供給オフ回転時間」を補正することとし、一例として紙厚１００ミクロンで５０枚連続印刷しオーバーシュートを２５℃にする場合には「電力供給オフ回転時間」を約１７秒に設定し、紙厚１０５ミクロンに変化した場合には「電力供給オフ回転時間」を約１８秒に補正し、紙厚１１０ミクロンに変化した場合には「電力供給オフ回転時間」を約１９秒に補正し、紙厚９５ミクロンに変化した場合には「電力供給オフ回転時間」を約１６秒に補正するように、補正値を「電力供給オフ回転時間」補正値テーブルに予め格納することによって媒体厚変化に対応した「電力供給オフ回転時間」補正を可能にし、連続印刷の最後の「記録媒体」の後端部が「前記定着部材と前記加圧部材との定着ニップ（ニップ部）」を通過し、「前記記録媒体が前記定着ニップを通過するタイミングを検知し得る検知機構（第３媒体検出センサ５２）」を通過したことを連続印刷数検出手段が印刷終了ページを検出すると、「定着熱源（加熱ヒータ）」及び加圧ヒータは温度制御部によって強制的にオフされ、当該印刷ジョブに含まれていた「印刷枚数」と、「記録媒体」の厚さとを検出し、この「印刷枚数」と「記録媒体」の厚さに応じて「前記定着部材と前記加圧部材（加熱ローラ及び加圧ローラ）」の「電力供給オフ回転時間」を設定し、若干遅れた時点から、「前記定着部材と前記加圧部材」が、設定された「電力供給オフ回転時間」だけ「電力供給オフ回転（空回転）」させその後に回転停止され、「前記定着部材と前記加圧部材（両ローラ）」の温度を適切に制御することによって、連続印刷後の「電力供給オフ回転時間」を厚さに応じて変化させることによって、「記録媒体」の厚さが厚い場合であっても、あるいは又薄い場合であっても、オーバーシュートを正確に制御することが可能になるので、より一層、後に続く印刷ジョブの印刷起動時のパフォーマンスを向上させたものであるから、引用発明の「回転時間変更制御回路」は、本願発明の「回転時間変更制御回路」と、「印刷動作終了後に前記定着熱源への電力供給をオフして前記定着部材を回転させる電力供給オフ回転時間を変更する」点、「印刷動作時の条件により、前記電力供給オフ回転時間を変更する」点、及び、「前記定着部材の前記電力供給オフ回転時間を、印刷枚数により変更し、前記印刷枚数により決定された前記電力供給オフ回転時間を、印刷動作時の環境の温度により補正する」点で一致するといえる。
　そして、引用発明において、連続印刷の場合、最初の印刷媒体の先端部が、目標温度Ｔｔに調節された加熱ローラと加圧ローラが圧接されたニップ部を通過する際、温度制御部は、加熱ローラの表面温度を目標温度Ｔｔに近づけようとして、ＡＣ電源と加熱ヒータとの間に配設されるスイッチをオン・オフすることによって加熱ヒータを制御するところ、その最初の印刷媒体の先端部がニップ部を通過することの検出には、印刷媒体が通過する度毎に、その先端部と後端部とを検出する第１ないし第２媒体検出センサ５０、５１が用いられることが当業者に自明である。
　したがって、引用発明の「連続印刷の場合、最初の印刷媒体の先端部が、目標温度Ｔｔに調節された加熱ローラと加圧ローラが圧接されたニップ部を通過する際、温度制御部は、加熱ローラの表面温度を目標温度Ｔｔに近づけようとして、ＡＣ電源と加熱ヒータとの間に配設されるスイッチをオン・オフすることによって加熱ヒータを制御する」は、本願発明の「前記検知機構による前記タイミングを検知した時点から前記定着熱源より前記定着部材へ供給する熱量を増加させて供給し」に相当し、引用発明の「動作終了時には、通紙の残り枚数が所定量になると、ヒータへの通電をオフすること」は、本願発明の「前記記録媒体の後端が前記定着ニップを通過するより前に前記定着熱源から前記定着部材へ供給する熱量を減少させて供給する」に相当する。
　よって、引用発明は、本願発明の「前記検知機構による前記タイミングを検知した時点から前記定着熱源より前記定着部材へ供給する熱量を増加させて供給し、前記記録媒体の後端が前記定着ニップを通過するより前に前記定着熱源から前記定着部材へ供給する熱量を減少させて供給するフィードフォワード制御を用いて、印刷動作中の前記定着部材の前記定着熱源を制御」する事項を備えているといえる。
　
（４）上記（１）ないし（３）から、本願発明と引用発明とは、
「内部に定着熱源を有する定着部材と、
　該定着部材を押圧する加圧部材と、を備え、
　前記定着部材と前記加圧部材との定着ニップに搬送された記録媒体上の未定着トナー像を前記記録媒体上に熱定着する定着装置において、
　印刷動作終了後に前記定着熱源への電力供給をオフして前記定着部材を回転させる電力供給オフ回転時間を変更する回転時間変更制御回路と、
　前記記録媒体が前記定着ニップを通過するタイミングを検知し得る検知機構と、を具備し、
　前記検知機構による前記タイミングを検知した時点から前記定着熱源より前記定着部材へ供給する熱量を増加させて供給し、前記記録媒体の後端が前記定着ニップを通過するより前に前記定着熱源から前記定着部材へ供給する熱量を減少させて供給するフィードフォワード制御を用いて、印刷動作中の前記定着部材の前記定着熱源を制御し、
　前記回転時間変更制御回路が、印刷動作時の条件により、前記電力供給オフ回転時間を変更する定着装置であって、
　前記回転時間変更制御回路は、前記定着部材の前記電力供給オフ回転時間を、印刷枚数により変更し、前記印刷枚数により決定された前記電力供給オフ回転時間を、印刷動作時の環境の温度により補正する定着装置。」である点で一致し、次の点で相違する。
　
相違点：
　前記電力供給オフ回転時間の前記補正に、本願発明では、「印刷動作時の前記定着部材の設定温度」を同時に併用することで行っているのに対して、引用発明では、「印刷動作時の前記定着部材の設定温度」は併用していない点。
　
５　判断
　上記相違点について検討する。
（１）引用発明は、実行時における周囲温度及び印刷媒体の厚さに応じて最適な空回転時間が異なってくるので、実行時における周囲温度及び印刷媒体の厚さに応じて空回転時間を補正するものであるところ、印刷媒体の厚さに応じて印刷動作時の定着器の設定目標温度を変更することは本願の出願前に周知である（以下「周知技術」という。例．特開平９−１４６４０８号公報（【００１８】参照。）、特開２０００−２３５３２４号公報（【００１６】参照。）、特開２００１−３５６６６６号公報（【請求項２】参照。）、特開２００２−１５６８６０号公報（【００６７】参照。）、特開２００２−２７８３７２号公報（【００１６】参照。）、特開２００３−２８５４８４号公報（【００４２】参照。）、特開２００７−８６６７５号公報（【０１０２】参照。））。
　
（２）してみると、引用発明において、印刷媒体の厚さに応じて印刷動作時の定着器の設定目標温度を変更することは、当業者が周知技術に基づいて容易に想到することができた程度のことであり、そのようにした引用発明では、印刷媒体の厚さ、印刷動作時の定着器の設定目標温度及び空回転時間の補正値は互いに関係する値となるから、そのようにした引用発明では、前記「回転時間変更制御回路」が、前記「電力供給オフ回転時間」の補正に、印刷媒体の厚さを用いるので、結局、印刷媒体の厚さに応じて決まる印刷動作時の定着器の設定目標温度を用いていることになる。
　そして、「印刷動作時の定着器の設定目標温度」は本願発明の「印刷動作時の定着部材の設定温度」に相当するから、引用発明において、前記「電力供給オフ回転時間」の前記「補正」に、「印刷動作時の定着部材の設定温度」を同時に併用すること、すなわち、引用発明において、上記相違点に係る本願発明の構成となすことは、当業者が周知技術に基づいて容易に想到することができた程度のことである。
　
（３）本願発明の奏する効果は、引用発明の奏する効果及び周知技術の奏する効果から当業者が予測することができた程度のことである。
　
（４）上記（１）ないし（３）からみて、本願発明は、当業者が引用例に記載された発明及び周知技術に基づいて容易に発明をすることができたものである。
　
６　むすび
　本願発明は、以上のとおり、当業者が引用例に記載された発明及び周知技術に基づいて容易に発明をすることができたものであるから、特許法第２９条第２項の規定により特許を受けることができない。
　よって、結論のとおり審決する。